(57)【要約】【課題】キャリッジをワイヤ駆動機構のワイヤに固定するためのワイヤクランプ機構の省スペース化、作業の簡便化を可能とする画像読取装置を提供する。【解決手段】ワイヤクランプ機構１０７は、フルレートキャリッジ１０１両側のキャリッジ本体１０に夫々設けられており、該キャリッジ本体１０の下方に張設されているワイヤ４０を挟持している。該ワイヤクランプ機構１０７は、図４及び図５に示すように、ワイヤ受け部７１がワイヤ４０の下方に位置するようにキャリッジ本体１０に配置された第１クランプ部材７０と、ワイヤ押え部８１がワイヤ４０の上方に位置するように第１クランプ部材７０に遊嵌された第２クランプ部材８０と、キャリッジ本体１０、第１クランプ部材７０、及び第２クランプ部材８０を緊締するボルト９０及びナット９１（緊締具）とを具備してなる。【選択図】　　　図４
2004077853.tif 000002
【特許請求の範囲】
【請求項１】
ガイドレールに沿って移動可能に設けられたキャリッジが、該キャリッジを走査するためのワイヤ駆動機構のワイヤに、ワイヤクランプ機構により固定されてなる画像読取装置において、
前記ワイヤクランプ機構は、ワイヤを受け持つワイヤ受け部を有し、該ワイヤ受け部が前記ワイヤの下方に位置するように前記キャリッジに配置された第１クランプ部材と、ワイヤを押えるワイヤ押え部を有し、該ワイヤ押え部が前記ワイヤの上方に位置するように、第１クランプ部材に遊嵌された第２クランプ部材と、キャリッジ、第１クランプ部材、及び第２クランプ部材を緊締して、キャリッジの所定位置に第１クランプ部材を固定するとともに、ワイヤを挟持するための挟持力を第１クランプ部材及び第２クランプ部材に付与する一の緊締具とを具備してなるものであることを特徴とする画像読取装置。
【請求項２】
前記ワイヤ受け部或いはワイヤ押え部のいずれか一方、又は双方に、ワイヤを挟持する方向と略直交方向へワイヤの軸が移動することを規制するワイヤ規制部が設けられたことを特徴とする請求項１に記載の画像読取装置。
【発明の詳細な説明】
【０００１】
【発明の属する技術分野】
本発明は、光源等を備えたキャリッジをワイヤ駆動機構で走査することにより、原稿からの反射光を結像ユニットに導いて、原稿の画像読取りを行う画像読取装置に関し、特に、キャリッジをワイヤ駆動機構のワイヤに簡易に固定することができるワイヤクランプ機構を具備する画像読取装置に関する。
【０００２】
【従来の技術】
スキャナ、ファクシミリ、複写機等には、プラテンガラス上に載置された紙等の原稿に対し、該プラテンガラスの下方において光源等を走査してＣＣＤ等の結像ユニットにより該原稿の画像読取りを行う画像読取装置が装備されているものがある。このような従来の画像読取装置として、例えば、原稿に光を照射するための光源と原稿からの反射光を所定方向へ反射する反射ミラーとを備えてなるフルレートキャリッジと、該フルレートキャリッジからの反射光をＣＣＤ等の結像ユニットへ導くための反射ミラーを備えてなるハーフレートキャリッジとがガイドレールに沿って走査可能に設けられ、ワイヤ駆動機構により該フルレートキャリッジ及びハーフレートキャリッジを走査するものがある。
【０００３】
前記ワイヤ駆動機構は、前記フルレートキャリッジ及びハーフレートキャリッジの走査方向に張設されたワイヤループに駆動プーリを介してステップモータ等の駆動源からの駆動力が伝達されるように構成されており、フルレートキャリッジは、ワイヤクランプ機構によりワイヤに固定されて、所定速度で走査されるようになっている。
【０００４】
【発明が解決しようとする課題】
従来、前記ワイヤクランプ機構によるフルレートキャリッジとワイヤとの固定は、フルレートキャリッジにカシメ構造を形成してワイヤをカシメたり、適当な部材間にワイヤを挟持させることにより行われている。このようなワイヤクランプ機構においては、画像読取装置の保守時にフルレートキャリッジの位置調整を行うために、ワイヤとの固定／解放作業が簡便であることが望ましい。また、装置の小型化、軽量化に伴い、フルレートキャリッジのキャリッジ本体も小型化されており、ワイヤクランプ機構の省スペース化を図ることも望まれている。
【０００５】
例えば、従来のようにカシメ構造によりワイヤを固定するものは、キャリッジ本体に必要なスペースは比較的少ないが、ワイヤとの固定／解放を複数回行う場合には不向きである。一方、適当な部材間にワイヤを挟持させるために該部材をボルト等によりフルレートキャリッジに固定するものは、ワイヤとの固定／解放を複数回行うことが可能となるが、組立や調整の際に複数のボルト等の締結／解除を行う必要があり、作業が面倒である上、キャリッジ本体を占有するスペースも大きくなる。
【０００６】
本発明は、これらの問題に鑑みてなされたものであり、キャリッジをワイヤ駆動機構のワイヤに固定するためのワイヤクランプ機構の省スペース化、作業の簡便化を可能とする画像読取装置を提供することを目的とする。
【０００７】
【課題を解決するための手段】
本発明に係る画像読取装置は、ガイドレールに沿って移動可能に設けられたキャリッジが、該キャリッジを走査するためのワイヤ駆動機構のワイヤに、ワイヤクランプ機構により固定されてなる画像読取装置において、前記ワイヤクランプ機構は、ワイヤを受け持つワイヤ受け部を有し、該ワイヤ受け部が前記ワイヤの下方に位置するように前記キャリッジに配置された第１クランプ部材と、ワイヤを押えるワイヤ押え部を有し、該ワイヤ押え部が前記ワイヤの上方に位置するように、第１クランプ部材に遊嵌された第２クランプ部材と、キャリッジ、第１クランプ部材、及び第２クランプ部材を緊締して、キャリッジの所定位置に第１クランプ部材を固定するとともに、ワイヤを挟持するための挟持力を第１クランプ部材及び第２クランプ部材に付与する一の緊締具とを具備してなるものである。一の締結具のみによって、第１クランプ部材及び第２クランプ部材の固定とワイヤの挟持とが調整可能となることにより、キャリッジを占有するスペースが削減され、また、キャリッジの固定位置の調整も一の締結具のみで行うこととなり、作業が簡便である。
【０００８】
前記キャリッジは、光源と反射ミラー等とを備えてなり、原稿に沿って走査されることにより、原稿からの反射光をＣＣＤ等の結像ユニットへ導いて画像読取を行うものである。一例として、原稿幅の略全域に渡って走査されるフルレートキャリッジと、該フルレートキャリッジの走査速度に対して略１／２の速度で走査されるハーフレートキャリッジとが組み合わされ、フルレートキャリッジから原稿に光を照射し、該原稿からの反射光をフルレートキャリッジ及びハーフレートキャリッジの反射ミラーに順次反射させて結像ユニットへ導く構成のものがある。また、ワイヤ駆動機構は、ステップモータ等の駆動源からの駆動力により回転する駆動プーリ、アイドラプーリ、従動プーリ等にワイヤが巻回されてなるワイヤループであって、該ワイヤループの所定位置に前記キャリッジが固定され、駆動プーリの回転によりキャリッジを走査するものである。
【０００９】
また、本発明は、前記ワイヤ受け部或いはワイヤ押え部のいずれか一方、又は双方に、ワイヤを挟持する方向と略直交方向へワイヤの軸が移動することを規制するワイヤ規制部が設けられたものである。該ワイヤ規制部により、挟持方向と略直交方向の外力に対向して、ワイヤがワイヤ受け部及びワイヤ押え部から外れることを防止する。
【００１０】
【発明の実施の形態】
以下、本発明の実施の形態に係る画像読取装置を図面に基づき具体的に説明する。なお、本実施の形態に係る画像読取装置は本発明の一例にすぎず、本発明の構成が該画像読取装置に限定されるものでないことは当然である。
【００１１】
図１は、本発明の実施の形態に係る画像読取装置１００を具備するコピー・ファクシミリ複合機１の上部の外観を示す概略斜視図である。図に示すように、該コピー・ファクシミリ複合機１は、読み取るべき原稿を載置するプラテンガラス２が配設された読取載置台３と、該原稿をプラテンガラス２上に押圧して固定する原稿押さえカバー４と、原稿の読取り開始等を入力するための操作パネル５とを具備してなる。以下に詳述する画像読取装置１００は、読取載置台３の内部に配設されており、プラテンガラス２の下方から原稿の画像を読み取るようになっている。
【００１２】
なお、図には示していないが、前記コピー・ファクシミリ複合機１は、読み取った画像を記録するための記録用紙を供給する給紙部や、記録用紙に画像を記録する画像記録部、画像を電送するための送信部等をも備えているが、該コピー・ファクシミリ複合機１は、本発明に係る画像読取装置を具備する機器の一例であり、これら画像記録部等は任意の構成であることは勿論である。
【００１３】
図２は、本画像読取装置１００の外観構成を示す概略斜視図である。図に示すように、本画像読取装置１００は、前記プラテンガラス２の下方において、原稿の読取面と平行方向に走査されるフルレートキャリッジ１０１及びハーフレートキャリッジ１０２と、フルレートキャリッジ１０１及びハーフレートキャリッジ１０２の両端部を夫々上下２段に支持し、且つこれらを走査方向に案内するガイドレール１０３と、ガイドレール１０３の内方に設けられてフルレートキャリッジ１０１及びハーフレートキャリッジ１０２を走査するための駆動力を伝達するワイヤ駆動機構１０４と、原稿からの反射光を電気信号に変換する結像ユニット１０５と、ワイヤ駆動機構１０４へ駆動力を付与する駆動ユニット１０６とを具備してなるものである。
【００１４】
図３は、フルレートキャリッジ１０１、ハーフレートキャリッジ１０２、及びワイヤ駆動機構１０４の主要構成を示した正面図であるが、図２及び図３に示すように、前記フルレートキャリッジ１０１は、キャリッジ本体１０に、原稿に光を照射するための光源１１と、原稿からの反射光Ｒ１を走査方向へ反射してハーフレートキャリッジ１０２へ導くための反射ミラー１２とを具備してなり、前記ハーフレートキャリッジ１０２は、キャリッジ本体２０に、フルレートキャリッジ１０１からの反射光Ｒ２を結像ユニット１０５へ導く２枚の反射ミラー２１、２２を具備してなるものである。また、図には詳細に示していないが、結像ユニット１０５は、ハーフレートキャリッジ１０２からの反射光Ｒ３を収束する収束レンズと、その収束光を電気信号に変換する電荷結合素子（Ｃｈａｒｇｅ　Ｃｏｕｐｌｅ　Ｄｅｖｉｃｅ、以下「ＣＣＤ」という。）とを備えてなる所謂縮小光学系のＣＣＤ読取ユニットである。該フルレートキャリッジ１０１及びハーフレートキャリッジ１０２がプラテンガラス２の下方を原稿と平行に移動して原稿の画像をスキャンし、該原稿からの反射光Ｒ１を反射光Ｒ３として結像ユニット１０５へ導いて、ＣＣＤにより結像するものとなっている。
【００１５】
前記ガイドレール１０３は、図２に示すように、フルレートキャリッジ１０１及びハーフレートキャリッジ１０２の両端部に一対設けられており、該両端部を夫々摺動可能に担持することにより、フルレートキャリッジ１０１及びハーフレートキャリッジ１０２を夫々走査方向へ案内するものとなっている。フルレートキャリッジ１０１を担持する第１担持部３０と、ハーフレートキャリッジ１０２を担持する第２担持部３１とは、図３に点線で示すように、上下２段に構成されており、第１担持部３０は、走査方向の略全域に渡って設けられているのに対し、第２担持部３１は、走査方向の略半分より若干長く設けられている。
【００１６】
前記ワイヤ駆動機構１０４は、図２に示すように、前記ガイドレール１０３の内方において、フルレートキャリッジ１０１及びハーフレートキャリッジ１０２の両端部夫々に一対設けられている。図３は、その一対のうち正面側のワイヤ駆動機構１０４を示しており、図に示すように、フルレートキャリッジ１０１及びハーフレートキャリッジ１０２の走査方向に渡って、ワイヤ４０を巻架させてなるワイヤループが形成されている。
【００１７】
さらに詳細に説明するに、ワイヤ４０の一端が走査方向基端部に配設されたクランプ４１に固定され、該ワイヤ４０は、クランプ４１から正方向に延びて、ハーフレートキャリッジ１０２の本体に軸支されたアイドラプーリ４２に半周分巻回されて逆方向へ延びている。さらにワイヤ４０は、前記クランプ４１に下方に回転自在に固定された従動プーリ４３に半周分巻回されて、再び正方向へ延びている。走査方向先端部にも、従動プーリ４４が回転自在に固定されているが、該従動プーリ４４の手前側の斜め下方に駆動プーリ４５が配設されており、前記従動プーリ４３から正方向へ延びたワイヤ４０は、駆動プーリ４５に１周分或いはそれ以上巻回された後、従動プーリ４４に半周分巻回されて逆方向へ延びている。さらにワイヤ４０は、再び、前記アイドラプーリ４２に半周分巻回されて正方向へ延び、前記第２担持部３１の先端部に形成されたワイヤ張設機構４６により、緊張力が付与された状態で固定されている。即ち、ワイヤ４０の他端に設けられたフックが連結部材６３に係止され、該連結部材６３は、スプリング（引張りバネ）６２の張力が付与された状態で第２担持部３１の先端部にボルト等により締結されている。また、前記従動プーリ４４及びアイドラプーリ４２間の所定位置で、フルレートキャリッジ１０１のキャリッジ本体１０がワイヤクランプ機構１０７によってワイヤ４０に固定されている。
【００１８】
このように構成されたワイヤループに、駆動プーリ４５の回転により駆動力が付与されると、駆動プーリ４５が時計方向に回転することにより、フルレートキャリッジ１０１及びハーフレートキャリッジ１０２は右方向に走査され、駆動プーリ４５が反時計方向に回転することにより、フルレートキャリッジ１０１及びハーフレートキャリッジ１０２は左方向に走査される。また、フルレートキャリッジ１０１の走査速度に対して略１／２の速度でハーフレートキャリッジ１０２が走査されるものとなっており、図３に示すように、走査方向基端部から走査方向先端部に渡って走査距離Ｌ１だけフルレートキャリッジ１０１が走査される間に、ハーフレートキャリッジ１０２は、その約半分の走査距離Ｌ２だけ走査される。なお、図には示していないが、前記ガイドレール１０３、クランプ４１、従動プーリ４３，４４は画像読取装置１００の本体等の適当な箇所にボルト等の固定手段によって固定されている。
【００１９】
図４は、前記フルレートキャリッジ１０１がワイヤクランプ機構１０７によりワイヤ４０に固定された状態を示す概略斜視図であり、図５は、該ワイヤクランプ機構１０７の詳細な構成を示す分解斜視図である。また、図６は、ワイヤクランプ機構１０７がワイヤを挟持した状態における図５のＩ−Ｉ断面を示しており、図７は、図６のＩＩ−ＩＩ断面の一部分を示している。なお、図４においては、説明の便宜上、フルレートキャリッジ１０１の反射ミラー１２や反射ミラー１２の保持部等を省略している。
【００２０】
図４に示すように、ワイヤクランプ機構１０７は、フルレートキャリッジ１０１両側のキャリッジ本体１０に夫々設けられており、該キャリッジ本体１０の下方に張設されているワイヤ４０を挟持している。該ワイヤクランプ機構１０７は、図４及び図５に示すように、ワイヤ受け部７１がワイヤ４０の下方に位置するようにキャリッジ本体１０に配置された第１クランプ部材７０と、ワイヤ押え部８１がワイヤ４０の上方に位置するように第１クランプ部材７０に遊嵌された第２クランプ部材８０と、キャリッジ本体１０、第１クランプ部材７０、及び第２クランプ部材８０を緊締するボルト９０及びナット９１（緊締具）とを具備してなる。
【００２１】
第１クランプ部材７０の概略形状は、帯状の長板の中央部７０ａ付近を凹型に曲折してなり、該中央部７０ａが、キャリッジ本体１０の切欠部１０ａから下方へ突出するようにしてキャリッジ本体１０上に配設されている。第１クランプ部材７０を凹型に曲折しているのは、キャリッジ本体１０の下方に張設されたワイヤ４０を挟持するためであり、曲折位置や寸法は、キャリッジ本体１０とワイヤ４０との距離等に応じて適宜設定される。
【００２２】
前記キャリッジ本体１０の切欠部１０ａは、反射ミラー１２（不図示）等を配置するための切欠部等を利用することが可能であり、本実施の形態では、光源１１の下方に形成されている。また、該切欠部１０ａの両側には、第１クランプ部材７０の位置決めを行うために、キャリッジ本体１０を構成する鋼板に上方向の突起１０ｂがパンチングにより夫々形成されている。一方、第１クランプ部材７０の端部７０ｂ，７０ｃには、前記突起１０ｂと対応する位置に、位置決め孔７２が夫々穿設されており、該突起１０ｂと位置決め孔７２とが係合することにより、第１クランプ部材７０の位置決めがなされ、キャリッジ本体１０上での水平方向の移動が規制される。
【００２３】
第１クランプ部材７０の中央部７０ａには、図７に示すように、その底部から側方、即ちワイヤ４０に向かって略水平方向へ該底部が拡幅するように突出したワイヤ受け部７１が形成され、さらに該ワイヤ受け部７１の端部が上方へ曲折されたワイヤ規制部７３が形成されている。ワイヤ受け部７１は、第１クランプ部材７０がキャリッジ本体１０に配置されることにより、ワイヤ４０を担持するような状態となってワイヤ４０を受け持つものである。一方、ワイヤ規制部７３は、ワイヤ受け部７１上に位置するワイヤ４０の軸が略水平方向に移動することを規制するものである。これにより、ワイヤ４０に略水平方向の外力が加わった場合に、ワイヤ４０の軸が移動してワイヤ受け部７１から外れることを防止している。
【００２４】
なお、ワイヤ受け部７１は、ワイヤ４０を受け持つことができるように、その突出幅がワイヤ４０の外径より大きく設定されており、また、ワイヤ規制部７３は、前記ワイヤ受け部７１及び第２クランプ部材８０のワイヤ押え部８１によりワイヤ４０を挟持できるように、その高さがワイヤ４０の外径より小さく設定されて、ワイヤ４０を挟持する際にワイヤ押え部８１と当接しないようになっている。
【００２５】
第２クランプ部材８０の概略形状は、帯状の長板の一端部８０ａを凹型に曲折してなるものであり、全体の長さは前記第１クランプ部材７０より短く、一端部８０ａの形状は前記第１クランプ部材７０の中央部７０ａの凹型に対応されており、その一端部８０ａを前記中央部７０ａ内に収めるようにして第１クランプ部材７０上に配設されている。前述したように、第１クランプ部材７０のワイヤ受け部７１に受け持たれたワイヤ４０は、第２クランプ部材８０のワイヤ押え部８１により上方から押えるようにして両部材で挟持されるが、ワイヤ４０を十分な挟持力で挟時できるように、ワイヤ受け部７１とワイヤ押え部８１間の距離がワイヤ４０の外径未満となるように、前記一端部８０ａの曲折位置や寸法が適宜設定されている。
【００２６】
第１クランプ部材７０の中央部７０ａの垂直面のうち端部７０ｂ側には、挿通孔７４が穿設されており、また、端部７０ｃの位置決め孔７２より中央側には、上方向の突起７５がパンチングにより形成されている。一方、第２クランプ部材８０の一端部８０ａの先端は前記挿通孔７４に挿入可能な程度に縮幅され、且つ水平方向に曲折された爪部８２が形成されており、また、他端部８０ｂには、前記突起７５と対応する位置に位置決め孔８３が穿設されている。前記爪部８２が挿通孔７４に挿入され、突起７５と位置決め孔８３とが係合することにより、第２クランプ部材８０が第１クランプ部材７０上に遊嵌された状態となり、一端部８０ａの位置が緩やかに規制され、且つ第１クランプ部材７０上での水平方向の移動も規制される。
【００２７】
第２クランプ部材８０の一端部８０ａには、その底部から側方、即ちワイヤ４０に向かって略水平方向へ該底部が拡幅するように突出したワイヤ押え部８１が形成されている。該ワイヤ押え部８１は、第２クランプ部材８０が第１クランプ部材７０上に配置されることにより、ワイヤ４０を上方から押えるものである。従って、第１クランプ部材７０のワイヤ受け部７１上に位置するワイヤ４０は、該ワイヤ押え部８１に上方から押えられて、ワイヤ受け部７１及びワイヤ押え部８１に挟持されるものとなる。なお、ワイヤ押え部８１の突出幅は、前記ワイヤ受け部７１と同様に、ワイヤ４０の外径より大きく設定されている。
【００２８】
さらに、キャリッジ本体１０、第１クランプ部材７０の端部７０ｃ、及び第２クランプ部材８０の他端部８０ｂであって、前記位置決め孔８３より中央よりの位置に、ボルト取付孔１０ｃ，７６，８４が連穿されている。各ボルト取付孔１０ｃ，７６，８４は、キャリッジ本体１０に第１クランプ部材７０、第２クランプ部材８０が順次位置決めされて配置されることにより略垂直方向の一軸上に並び、これらにボルト９０が挿通され、ナット９１と螺合されることにより、キャリッジ本体１０、第１クランプ部材７０、及び第２クランプ部材８０を緊締し、キャリッジ本体１０に第１クランプ部材７０及び第２クランプ部材８０を固定するとともに、第１クランプ部材７０のワイヤ受け部７１及び第２クランプ部材８０のワイヤ押え部８１にワイヤ４０を挟持する挟持力を付与するものとなる。また、該挟持力を付与することにより、第２クランプ部材８０には上方向の反力が生じるが、第２クランプ部材８０の一端部８０ａに形成された爪部８２が挿通孔７４に挿入されているので、ボルト９０及びナット９１により緊締された結果、第１クランプ部材７０のワイヤ受け部７１及び第２クランプ部材８０のワイヤ押え部８１には、その両端から挟持力が付与されることとなり、第２クランプ部材８０に反りや変形等が生じることなく、十分な挟持力でワイヤ４０を挟持することとなる。
【００２９】
このように、本ワイヤクランプ機構１０７は、ボルト９０及びナット９１の一の緊締具により、ワイヤ４０を挟持する第１クランプ部材７０及び第２クランプ部材８０をキャリッジ本体１０に固定するとともに、ワイヤ４０の挟持力を付与することができるので、緊締具の数を最小としてキャリッジ本体１０を占有するスペースを減らすことができ、また、フルレートキャリッジ１０１の組立や位置調整等においては、一の緊締具の走査のみでワイヤ４０の挟持／解放を行うことができる。
【００３０】
なお、本実施の形態では本画像読取装置１００が装備されたコピー・ファクシミリ複合機１を例に説明したが、本発明に係る画像読取装置が、スキャナ等のたの装置にも適用できることは当然である。また、緊締具としてボルト９０及びナット９１を用いた例を示したが、例えば、キャリッジ本体１０のボルト取付孔１０ｃをネジ孔として、ボルト９０に代えて該ネジ孔と螺合するネジを用いる等、他の公知の緊締具を用いることも勿論可能である。また、前記ワイヤ受け部７１及びワイヤ押え部８１は、第１クランプ部材７０及び第２クランプ部材８０の両側のうち、ワイヤ４０を挟持する側にのみ設ければ十分であるが、両側に設けることとすれば、フルレートキャリッジ１０１の右側及び左側のワイヤクランプ機構１０６で両部材を共用することができ便利である。
【００３１】
【発明の効果】
このように、本発明に係る画像読取装置によれば、ワイヤ駆動機構のワイヤを挟持するワイヤクランプ機構を、ワイヤを受け持つワイヤ受け部を有し、該ワイヤ受け部が前記ワイヤの下方に位置するように前記キャリッジに配置された第１クランプ部材と、ワイヤを押えるワイヤ押え部を有し、該ワイヤ押え部が前記ワイヤの上方に位置するように、第１クランプ部材に遊嵌された第２クランプ部材と、キャリッジ、第１クランプ部材、及び第２クランプ部材を緊締して、キャリッジの所定位置に第１クランプ部材を固定するとともに、ワイヤを挟持するための挟持力を第１クランプ部材及び第２クランプ部材に付与する一の緊締具とを具備してなるものとしたので、一の締結具のみによって、第１クランプ部材及び第２クランプ部材の固定とワイヤの挟持とを行うことにより、キャリッジを占有するスペースが削減されて、画像読取装置の小型化に寄与することができる。また、キャリッジの固定や位置調整も一の締結具のみで行うこととなり、組立やメンテナンス等の作業が簡便となる。
【００３２】
また、本発明によれば、前記ワイヤ受け部或いはワイヤ押え部のいずれか一方、又は双方に、ワイヤを挟持する方向と略直交方向へワイヤの軸が移動することを規制するワイヤ規制部を設けたので、第１クランプ部材及び第２クランプ部材により挟持されたワイヤに、挟持方向と略直交方向への力が加わった場合等にワイヤワイヤクランプ機構から外れることを防止することができる。
【図面の簡単な説明】
【図１】コピー・ファクシミリ複合機１の外観を示す概略斜視図である。
【図２】画像読取装置１００の構成を示す概略斜視図である。
【図３】フルレートキャリッジ１０１、ハーフレートキャリッジ１０２、及びワイヤ駆動機構１０４の構成を示す正面図である。
【図４】フルレートキャリッジ１０１がワイヤクランプ機構１０７によりワイヤ４０に固定された状態を示す概略斜視図である。
【図５】ワイヤクランプ機構１０７の構成を示す分解斜視図である。
【図６】図５のＩ−Ｉ断面を示す断面図である。
【図７】図６のＩＩ−ＩＩ断面を示す部分拡大断面図である。
【符号の説明】
１００　画像読取装置
１０１　フルレートキャリッジ
１０２　ハーフレートキャリッジ
１０３　ガイドレール
１０４　ワイヤ駆動機構
１０５　結像ユニット
１０６　駆動ユニット（駆動源）
１０７　ワイヤクランプ機構
４０　ワイヤ
７０　第１クランプ部材
７１　ワイヤ受け部
７３　ワイヤ規制部
８０　第２クランプ部材
８１　ワイヤ押え部
９０　ボルト（緊締具）
９１　ナット（緊締具）
【図１】
2004077853.tif 000003
【図２】
2004077853.tif 000004
【図３】
2004077853.tif 000005
【図４】
2004077853.tif 000006
【図５】
2004077853.tif 000007
【図６】
2004077853.tif 000008
【図７】
2004077853.tif 000009